(57)【要約】      （修正有）【課題】外部温度の急激な温度変化に対して体温特定の精度向上を図ることができる、体温測定処理プログラムを提供する。【解決手段】体温を特定するプログラムの処理において、時間ごとに測定された皮膚温度データ及び外部温度データに基づき（Ｓ１）、少なくとも一時点の皮膚温度データと外部温度データとを比較し（Ｓ３）、比較された皮膚温度データが高い場合にはそれぞれを正規の皮膚温度データ及び外部温度データと認定し（Ｓ４Ａ）、外部温度データが高い場合には比較された外部温度データ、皮膚温度データをそれぞれ逆と認定し（Ｓ４Ｂ）、認定した皮膚温度データ及び外部温度データと体温測定装置及び皮膚の熱伝導率から求められる係数値とから皮膚温度を補正して体温とする構成とする。【選択図】図４
2019178914.tif 000002
【特許請求の範囲】
【請求項１】
身体に装着され、所定の筐体表面に設けられて皮膚に接触して皮膚温度を測定する皮膚温度センサ及び当該筐体表面以外の表面に設けられて外部温度を測定する外部温度センサを備え、所定の時間経過ごとにそれぞれで測定した皮膚温度データ及び外部温度データが記憶手段に記憶される体温測定装置に対し、記憶されている当該皮膚温度データ及び外部温度データから体温を特定する体温測定処理プログラムであって、
前記記憶されている皮膚温度データ及び外部温度データのうち、少なくとも一時点の前記皮膚温度データと外部温度データとを比較し、比較された皮膚温度データが高い場合にはそれぞれを正規の皮膚温度データ及び外部温度データと認定し、外部温度データが高い場合には比較された外部温度データを正規の皮膚温度データとすると共に、比較された皮膚温度データを正規の外部温度データと認定する手段と、
前記正規の皮膚温度データ及び外部温度データと前記体温測定装置及び皮膚の熱伝導率から求められる係数値とから皮膚温度を補正して体温とする手段と、
を含むことを特徴とする体温測定処理プログラム。
【請求項２】
身体に装着させ、皮膚温度及び外部温度を測定し、少なくとも経過時間及び測定温度データに基づいて体温を特定する体温測定装置であって、
所定の筐体表面に設けられて皮膚に接触して皮膚温度を測定する皮膚温度センサと、
前記筐体表面以外の表面に設けられて外部温度を測定する外部温度センサと、
少なくとも、前記皮膚温度センサにより測定された皮膚温度データ及び外部温度センサにより測定された外部温度データを測定経過時間に対応付けて記憶する記憶部と、
少なくとも、前記記憶されている皮膚温度データ及び外部温度データのうち、少なくとも一時点の皮膚温度データと外部温度データとを比較し、比較された皮膚温度データが高い場合にはそれぞれを正規の皮膚温度データ及び外部温度データと認定し、外部温度データが高い場合には比較された外部温度データを正規の皮膚温度データとすると共に、比較された皮膚温度データを正規の外部温度データと認定し、当該正規の皮膚温度データ及び外部温度データと装置及び皮膚の熱伝導率から求められる係数値とから皮膚温度を補正して体温として特定するプログラムを備えて処理する処理部と、
を有することを特徴とする体温測定処理プログラムを備える体温測定装置。
【請求項３】
身体の皮膚温度及び外部温度を測定し、少なくとも経過時間及び測定温度データに基づいて体温を特定する体温測定処理システムであって、
身体に装着させものであり、所定の筐体表面に設けられて皮膚に接触して皮膚温度を測定する皮膚温度センサと、当該筐体表面以外の表面に設けられて外部温度を測定する外部温度センサと、少なくとも、当該皮膚温度センサにより測定された皮膚温度データ及び外部温度センサにより測定された外部温度データを測定経過時間に対応付けて記憶する記憶部と、を備える体温測定装置と、
前記体温測定装置より、記憶されている測定経過時間に対応付けられた前記皮膚温度データ及び外部温度データを取得し、当該皮膚温度データ及び外部温度データのうち、少なくとも一時点の皮膚温度データと外部温度データとを比較し、比較された皮膚温度データが高い場合にはそれぞれを正規の皮膚温度データ及び外部温度データと認定し、外部温度データが高い場合には比較された外部温度データを正規の皮膚温度データとすると共に、比較された皮膚温度データを正規の外部温度データと認定し、当該正規の皮膚温度データ及び外部温度データと当該体温測定装置及び皮膚の熱伝導率から求められる係数値とから皮膚温度を補正して体温として特定するプログラムを備えて処理する処理部と、を備える体温測定処理装置と、
を有することを特徴とする体温測定処理システム。
【発明の詳細な説明】
【技術分野】
【０００１】
本発明は、身体に装着させて皮膚温度及び外部温度を測定することで体温を特定するための体温測定処理プログラム及びこのプログラムを備える体温測定装置並びに体温測定処理システムに関する。
【背景技術】
【０００２】
近年、健康管理を目的として、就寝中や運動中、作業中等の長時間にわたり体温を測定するニーズが高まっている。体温を測定するためには口内や腋下で測定するのが一般的だが、これらの位置では体温を長時間測定することは困難である。体温を長時間測定する方法として、機器を身体に装着し体表温度(皮膚温度)を測定する方法が知られているが、体表温度は、外気温度の影響を受けやすいため、外気温度により体表温度を補正し、体温を算出する必要がある。そのため、体表温度のみならず外気温度も衣類等に影響されず、ばらつきを最小限とすることが望まれる。
【０００３】
従来、体温を知るための体温測定装置は種々知られている。例えば特許文献１には、身体温度情報端末装置として、ケーシングの体表面側となる面に体表温度検出部が当該ケーシングより突出されて設けられ、反対面に外気温度検出部が当該ケーシングより突出されて設けられた構成とし、身体温度を代表温度として特定するに際し、測定された体表温度及び外気温度に対して、日常的な体温と考えられる常識的な範囲（例えば、３３℃〜３８℃）に属さない温度データを除去し、除去された温度データ以外の温度データについてフーリエの法則により体表温度を修正した修正体表温度とし、複数の修正体表温度の時間的変動幅の少ない熱平衡状態を判定して代表温度候補とし、当該代表温度候補のうち、最高温度となるものを代表温度として特定することが記載されている。
【先行技術文献】
【特許文献】
【０００４】
【特許文献１】特許第３９０９３０１号公報
【発明の概要】
【発明が解決しようとする課題】
【０００５】
しかしながら、特許文献１記載のものは、フーリエの法則は身体温度及び外気温度を用いて演算することから、例えば身体温度情報端末装置の装着面を逆に装着した場合、体表温度検出部で外気を検出し、外気温度検出部で身体温度を検出することとなり、逆の温度データでは体温を特定する身体温度の補正ができないか、若しくは補正できる場合でも正確性に欠けるという問題がある。このことは、特許文献１記載の身体温度情報端末装置に限らず、他の種々存在している体温測定の装置においても言えることである。
【０００６】
そこで、本発明は上記課題に鑑みなされたもので、装置の装着間違いによる温度データであっても精度よく体温を特定する体温測定処理プログラム及びこのプログラムを備える体温測定装置並びに体温測定処理システムを提供することを目的とする。
【課題を解決するための手段】
【０００７】
上記課題を解決するために、請求項１の発明では、身体に装着され、所定の筐体表面に設けられて皮膚に接触して皮膚温度を測定する皮膚温度センサ及び当該筐体表面以外の表面に設けられて外部温度を測定する外部温度センサを備え、所定の時間経過ごとにそれぞれで測定した皮膚温度データ及び外部温度データが記憶手段に記憶される体温測定装置に対し、記憶されている当該皮膚温度データ及び外部温度データから体温を特定する体温測定処理プログラムであって、前記記憶されている皮膚温度データ及び外部温度データのうち、少なくとも一時点の前記皮膚温度データと外部温度データとを比較し、比較された皮膚温度データが高い場合にはそれぞれを正規の皮膚温度データ及び外部温度データと認定し、外部温度データが高い場合には比較された外部温度データを正規の皮膚温度データとすると共に、比較された皮膚温度データを正規の外部温度データと認定する手段と、前記正規の皮膚温度データ及び外部温度データと前記体温測定装置及び皮膚の熱伝導率から求められる係数値とから皮膚温度を補正して体温とする手段と、を含む構成とする。
【０００８】
請求項２の発明では、身体に装着させ、皮膚温度及び外部温度を測定し、少なくとも経過時間及び測定温度データに基づいて体温を特定する体温測定装置であって、所定の筐体表面に設けられて皮膚に接触して皮膚温度を測定する皮膚温度センサと、前記筐体表面以外の表面に設けられて外部温度を測定する外部温度センサと、少なくとも、前記皮膚温度センサにより測定された皮膚温度データ及び外部温度センサにより測定された外部温度データを測定経過時間に対応付けて記憶する記憶部と、少なくとも、前記記憶されている皮膚温度データ及び外部温度データのうち、少なくとも一時点の皮膚温度データと外部温度データとを比較し、比較された皮膚温度データが高い場合にはそれぞれを正規の皮膚温度データ及び外部温度データと認定し、外部温度データが高い場合には比較された外部温度データを正規の皮膚温度データとすると共に、比較された皮膚温度データを正規の外部温度データと認定し、当該正規の皮膚温度データ及び外部温度データと装置及び皮膚の熱伝導率から求められる係数値とから皮膚温度を補正して体温として特定するプログラムを備えて処理する処理部と、を有する構成とする。
【０００９】
請求項３の発明では、身体の皮膚温度及び外部温度を測定し、少なくとも経過時間及び測定温度データに基づいて体温を特定する体温測定処理システムであって、身体に装着させものであり、所定の筐体表面に設けられて皮膚に接触して皮膚温度を測定する皮膚温度センサと、当該筐体表面以外の表面に設けられて外部温度を測定する外部温度センサと、少なくとも、当該皮膚温度センサにより測定された皮膚温度データ及び外部温度センサにより測定された外部温度データを測定経過時間に対応付けて記憶する記憶部と、を備える体温測定装置と、前記体温測定装置より、記憶されている測定経過時間に対応付けられた前記皮膚温度データ及び外部温度データを取得し、当該皮膚温度データ及び外部温度データのうち、少なくとも一時点の皮膚温度データと外部温度データとを比較し、比較された皮膚温度データが高い場合にはそれぞれを正規の皮膚温度データ及び外部温度データと認定し、外部温度データが高い場合には比較された外部温度データを正規の皮膚温度データとすると共に、比較された皮膚温度データを正規の外部温度データと認定し、当該正規の皮膚温度データ及び外部温度データと当該体温測定装置及び皮膚の熱伝導率から求められる係数値とから皮膚温度を補正して体温として特定するプログラムを備えて処理する処理部と、を備える体温測定処理装置と、を有する構成とする。
【発明の効果】
【００１０】
請求項１の発明によれば、身体に装着される体温測定装置が、皮膚に接触して皮膚温度を測定する皮膚温度センサ及び外部温度を測定する外部温度センサを備え、所定の時間経過ごとにそれぞれで測定した皮膚温度データ及び外部温度データが記憶手段に記憶されるものであり、記憶されている皮膚温度データ及び外部温度データのうち、少なくとも一時点の皮膚温度データと外部温度データとを比較し、比較された皮膚温度データが高い場合にはそれぞれを正規の皮膚温度データ及び外部温度データと認定し、外部温度データが高い場合には比較された外部温度データを正規の皮膚温度データとすると共に、比較された皮膚温度データを正規の外部温度データと認定し、認定した正規の皮膚温度データ及び外部温度データと体温測定装置及び皮膚の熱伝導率から求められる係数値とから皮膚温度を補正して体温とする構成とすることにより、装置の装着間違いによる皮膚温度センサ及び外部温度センサで測定した温度データであっても精度よく体温を特定することができるものである。
【００１１】
請求項２の発明によれば、身体に装着されることで、皮膚に接触して皮膚温度を測定する皮膚温度センサ及び外部温度を測定する外部温度センサを備えると共に、所定の時間経過ごとにそれぞれで測定した皮膚温度データ及び外部温度データを記憶する記憶部を備え、処理部が、記憶されている皮膚温度データ及び外部温度データのうち、少なくとも一時点の皮膚温度データと外部温度データとを比較し、比較された皮膚温度データが高い場合にはそれぞれを正規の皮膚温度データ及び外部温度データと認定し、外部温度データが高い場合には比較された外部温度データを正規の皮膚温度データとすると共に、比較された皮膚温度データを正規の外部温度データと認定し、認定した正規の皮膚温度データ及び外部温度データと装置及び皮膚の熱伝導率から求められる係数値とから皮膚温度を補正して体温とする構成とすることにより、装置の装着間違いによる皮膚温度センサ及び外部温度センサで測定した温度データであっても装置内での簡易な演算処理で体温特定の精度を向上させることができるものである。
【００１２】
請求項３の発明によれば、身体に装着される体温測定装置が、皮膚に接触して皮膚温度を測定する皮膚温度センサ及び外部温度を測定する外部温度センサを備え、所定の時間経過ごとにそれぞれで測定した皮膚温度データ及び外部温度データが記憶手段に記憶されるものであり、体温測定処理装置の処理部に備えるプログラムにおいて、当該体温測定装置に記憶されている皮膚温度データ及び外部温度データを取得し、当該皮膚温度データを外部温度データのうち、少なくとも一時点の皮膚温度データと外部温度データとを比較し、比較された皮膚温度データが高い場合にはそれぞれを正規の皮膚温度データ及び外部温度データと認定し、外部温度データが高い場合には比較された外部温度データを正規の皮膚温度データとすると共に、比較された皮膚温度データを正規の外部温度データと認定し、認定した正規の皮膚温度データ及び外部温度データと体温測定装置及び皮膚の熱伝導率から求められる係数値とから皮膚温度を補正して体温とする構成とすることにより、体温測定装置の装着間違いによる皮膚温度センサ及び外部温度センサで測定した温度データであっても精度よく体温を特定することができるものである。
【図面の簡単な説明】
【００１３】
【図１】本発明に係る体温測定装置の構成図である。
【図２】本発明に係る体温測定装置及び体温測定処理装置における電子回路のブロック構成図である。
【図３】図１の体温測定装置の装着状態の説明図である。
【図４】体温を特定する体温測定処理プログラムの処理フローチャート（１）である。
【図５】体温を特定する体温測定処理プログラムの処理フローチャート（２）である。
【図６】図１の体温測定装置における装着の正逆による皮膚温度及び外部温度の説明図である。
【図７】フーリエの法則による皮膚温度を補正する要素の説明図である。
【図８】図１の体温測定装置における装着の正逆による皮膚温度、外部温度及び補正皮膚温度の比較説明図である。
【発明を実施するための形態】
【００１４】
以下、本発明の実施形態を図により説明する。本実施形態は、体温測定処理装置及び体温測定処理装置のシステムとして、当該体温測定処理装置に体温測定処理プログラムを備えさせたものとして説明するが、体温測定処理プログラムを体温測定装置に備えさせるものとしてもよい（後述する）。
【００１５】
図１に本発明に係る体温測定装置の構成図に示すと共に、図２に本発明に係る体温測定装置及び体温測定処理装置における電子回路のブロック構成図を示す。図１（Ａ）、（Ｂ）において、体温測定装置１１は、身体に装着させるものであって、筐体１２の一方面を皮膚に直接に接触させる皮膚側筐体表面１３として、当該皮膚側筐体表面１３の対応位置に形成された皮膚温度センサ用孔１５よりその先端部分が所定高さで表出され、当該先端部分が皮膚と接触して皮膚温度を測定する。なお、本実施形態で示す体温測定装置１１の、特に皮膚温度センサ２１の先端位置の構成は、一例であって、従前より知られている体温測定機器の構成と同様であってもよい。
【００１６】
また、皮膚側筐体表面１３以外の面であり、ここでは反対面の外部側筐体表面１４における所定位置に、外部温度を測定する外部温度センサ２２が位置される。図では、外部温度センサ用孔１６よりその先端部分が筐体１２の内部側に表出して位置され、当該外部側筐体表面１４の位置から当該先端部分との間に空隙領域２２Ａが設けられて外部温度（衣服内温度）を測定するものとするが、その先端位置の構成は、一例であって、従前より知られているように表面と同一面若しくは表面より突出させている体温測定機器の構成と同様であってもよく、図１のように表出していない構成であってもよいが、特に外部温度センサ２２を筐体表面と同一若しくは突出させた場合には正規装着と逆装着による補正皮膚温度の違いが顕著となる（皮膚温度の補正については後述する）。
【００１７】
上記筐体１２の内部には、図１（Ｃ）に示すように、電子回路３１が実装された電子回路基板３１Ａが設けられるもので、当該電子回路基板３１Ａの皮膚側筐体表面１３側に皮膚温度センサ２１が実装されると共に外部側筐体表面１４側に外部温度センサ２２が実装される。
【００１８】
上記の体温測定装置１１は、図２に示すように、体温測定処理システムの一方を構成するものとして、システムの他方を構成する体温測定処理装置４１と有線、無線を問わず通信自在とされる（ここでは無線とする）。
【００１９】
体温測定装置１１の備える電子回路３１は、処理部５１、計時部５２、記憶部５３、送信部５４及び操作入力部５５を有する。ここで、上記計時部５２はカレンダ機能を有して日時を計数する回路であり、上記記憶部５３は主に各温度データを記憶するメモリであり、上記送信部５４は体温測定処理装置４１に例えばＢＬＵＥＴＯＯＴＨ（登録商標）などによりデータ送信するための通信インタフェースであり、上記操作入力部５５は図１では図示していない操作部からの操作信号を入力するための回路である。
【００２０】
上記処理部５１は、操作入力部５５からの測定開始の信号に応じて計時部５２より時間データを入力し、図１に示す皮膚温度センサ２１及び外部温度センサ２２より、予め設定（測定者による適宜な設定でもよい）された所定時間ごとに測定された皮膚温度データ及び外部温度データを入力し、時間経過ごとの皮膚温度データ及び外部温度データの温度データを経過時間と対応付けて記憶部５３に記憶していき、測定者による適宜なタイミングの操作で、当該記憶部５３に記憶されている温度データを体温測定処理装置４１に送信部５４を介して送信する処理を行うプログラムを備える。
【００２１】
体温測定処理装置４１は、処理部６１、受信部６２、記憶部６３及び表示部６４を少なくとも備える。体温測定処理装置４１としては、例えばスマートフォンなどの携帯端末やパーソナルコンピュータなどであり、上記体温測定処理プログラムがインストールされて適宜実行されるもので、ここでは体温測定処理の機能に特化させたものとして説明する。
【００２２】
上記処理部６１は体温測定処理プログラムを備えるもので、その処理内容は図６で説明する。上記受信部６２は体温測定装置１１の送信部５４と同じ通信プロトコルを備えるデータ受信のための通信インタフェースであり、上記記憶部６３は体温測定装置１１から取得した温度データを記憶すると共に特定した体温を測定日付に対応付けて記憶し、また、体温を特定するためのプログラム処理領域としての役割をなす。上記表示部６４は携帯端末やコンピュータのディスプレイであり、ここでは本発明に特化して特定された体温の所定期間範囲での推移を表示させるためのものとする。
【００２３】
ここで、図３に、図１の体温測定装置の装着状態の説明図を示す。図３において、体温測定装置１１は、身体の例えば皮膚７１と下着等の衣類７２との間に装着される。この場合、体温測定装置１１における皮膚側筐体表面１３が皮膚７１に直接接触し、所定高さで突出されている皮膚温度センサ２１の先端部分が直接当該皮膚７１に若干めり込んだ状態で接触して皮膚温度が測定される。
【００２４】
また、体温測定装置１１における外部側筐体表面１４が衣類７２と接触するが、外部温度センサ２２の表出されている先端部分は、衣類７２とは直接接触せず、当該先端部分と衣類７２との間に空隙領域２２Ａが介在されて外部温度が測定される。なお、体温測定装置１１が測定者による装着間違いで装着されると、皮膚温度センサ２１が外部温度を測定することとなり、外部温度センサ２２が皮膚温度を測定することとなる。
【００２５】
そこで、図４及び図５に体温を特定する体温測定処理プログラムの処理フローチャートを示すと共に、図６に図１の体温測定装置における装着の正逆による皮膚温度及び外部温度の説明図を示し、図７にフーリエの法則による皮膚温度を補正する要素の説明図を示し、図８に図１の体温測定装置における装着の正逆による皮膚温度、外部温度及び補正皮膚温度の比較説明図を示す。
【００２６】
本発明における体温測定処理プログラムは、図２の温度測定処理装置４１の処理部６１に備えられ、プログラムの主要処理として、皮膚温度データ及び外部温度データのうち、所定時間に達するまでの温度データを消去する処理と、消去された温度データ以外の温度データのうち、少なくとも一時点の皮膚温度データと外部温度データとを比較し、比較された皮膚温度データが高い場合にはそれぞれを正規の皮膚温度データ及び外部温度データと認定し、外部温度データが高い場合には比較された外部温度データを正規の皮膚温度データとすると共に、比較された皮膚温度データを正規の外部温度データと認定する処理と、正規の皮膚温度データ及び外部温度データと体温測定装置及び皮膚の熱伝導率から求められる係数値とから皮膚温度を補正して体温とする処理とを備える。
【００２７】
まず、前提として、例えば測定者が体温測定装置１１を装着して温度測定が開始され、皮膚温度センサ２１で測定した温度データを皮膚温度データとし、外部温度センサ２２で測定した温度データを外部温度データとして、それら皮膚温度データ及び外部温度データが測定した経過時間に対応付けられて図３に示す記憶部５３に記憶される。そして、測定者による所望のタイミングで、体温測定装置１１より体温測定処理装置４１に記憶されている皮膚温度データ及び外部温度データを送信する。
【００２８】
そこで、図４（Ａ）において、体温測定処理装置４１では、体温測定処理プログラムが実行され、体温測定装置１１より経過時間に対応付けられた皮膚温度データ及び外部温度データを取得して記憶部６３に記憶する（ステップ１（Ｓ１））。記憶した皮膚温度データ及び外部温度データの一例が図６（Ａ）に示したグラフの温度データである。
【００２９】
続いて、取得した皮膚温度データ及び外部温度データに対して、皮膚温度データのうち、所定時間に達するまでの温度データ（パターンＩ）及び所定時間以降の温度データ（パターンＩＩ）を消去する（Ｓ２）。例えば、所定時間に達するまでの温度データは、皮膚温度に追従するまでの温度データとして、例えば開始直後から３０分の温度データを消去し、また、所定時間以降の温度データは、例えば起床や温度測定予定時間に達した温度データとして消去する（図６（Ｂ）若しくは図６（Ｃ）参照）。
【００３０】
そこで、消去された温度データ以外の温度データのうち、ある一時点の皮膚温度データと外部温度データとを比較するもので、ここでは皮膚温度が外部温度に対して高いか否か判別される（Ｓ３）。すなわち、皮膚温度センサ２１で測定された温度データが皮膚温度データであるとして、外部温度センサ２２で測定された外部温度データと比較し、これによって当該皮膚温度センサ２１が皮膚７１に接触しているかが判別することができる。
【００３１】
なお、上記比較処理は、ある一時点の皮膚温度データと外部温度データとをピックアップして行うこととしたが、２点以上でそれぞれピックアップして比較してもよい。
【００３２】
また、上記Ｓ２の温度データ消去の処理と、Ｓ３での比較の処理は順序を問うものでなく、比較処理Ｓ３の後にＳ２の消去処理をしてもよい。
【００３３】
上記Ｓ３において、皮膚温度が外部温度より高い場合には、図４（Ｂ）に示すように、それぞれを正規の皮膚温度データ及び外部温度データと認定する（Ｓ４Ａ）。図６（Ａ）に示す皮膚温度データ及び外部温度データと同様に、図６（Ｂ）に示すようにそれぞれ正規なものと認定される。
【００３４】
一方、皮膚温度が外部温度より低い場合は、図６（Ｃ）に示すような関係であり、図４（Ｃ）に示すように、比較された外部温度データを正規の皮膚温度データとすると共に、比較された皮膚温度データを正規の外部温度データと認定する（Ｓ４Ｂ）。すなわち、外部温度センサ２２が皮膚７１側に位置され、皮膚温度センサ２１が衣類７２側に位置された装着間違いが判別され、図６（Ｂ）に示す関係となるように、皮膚温度データ及び外部温度データが、それぞれ逆の温度データが正規なものと認定される。
【００３５】
続いて、Ｓ４Ａ又はＳ４Ｂの処理で、消去された温度データ以外の正規の皮膚温度データ及び外部温度データと体温測定装置及び皮膚の熱伝導率から求められる係数値からフーリエの法則を用いて皮膚温度データを補正して体温として特定する（Ｓ５）。
【００３６】
上記Ｓ５の処理によるフーリエの法則を用いた皮膚温度の補正について、図７を用いて説明する。ここで、補正した皮膚温度（体温）をＴｉ、体温測定装置及び皮膚の熱伝導率から求められる係数値をＫ、皮膚温度をＴｓ、外部温度をＴａとし、図７に示す身体深部７１Ａから皮膚温度センサ２１までの熱伝導率をλ１、皮膚７１から外部温度センサ２２までの熱伝導率をλ２とする。
【００３７】
そこで、熱流束（ｑ）は温度勾配（ｄｔ／ｄｘ）と熱伝導率λに比例するというフーリエの法則（ｑ＝λ（ｄｔ／ｄｘ））を用いて体温測定装置１１に当てはめると、
ｑ＝λ１（Ｔｉ−Ｔｓ）、ｑ＝λ２（Ｔｓ−Ｔａ）から
Ｔｉ＝Ｔｓ＋Ｋ（Ｔｓ−Ｔａ）（式１）
（Ｋは体温測定装置及び皮膚の熱伝導率から求められる係数値であり、Ｋ＝λ２／λ１）
の式となって補正された皮膚温度Ｔｉが導き出される。
【００３８】
なお、上記体温測定装置及び皮膚の熱伝導率から求められる係数値Ｋは、演算により算出することができるが、体温測定装置と身体との関係で一番良好な値（身体的違いが殆どない）を経験で定めればく、皮膚温度センサ２１側と外部温度センサ２２側の同一構造にしておけば係数値Ｋを一定にしておくこともでき、異なる構造の場合はそれぞれが皮膚側にくる際の係数値Ｋをそれぞれ設定しておくことで精度を高めることが可能である。
【００３９】
そして、係数値Ｋをあらかじめ決定しておくことで、測定間隔毎にリアルタイムで体温を測定し、表示することができる。この場合、追従するまでの温度は表示しても表示しなくても良く、任意に決定できるものである。例えば、運動中、作業中等において体温を測定し、表示することに適用することができる。
【００４０】
また、所定時間範囲の温度データから代表温度を特定したい場合、一例として、図５（Ａ）において、特定された体温（補正皮膚温度）に対し、所定時間範囲（実測した時間範囲）の平均値を演算した温度データを代表温度として特定することができる（Ｓ６Ａ）。若しくは、図５（Ｂ）に示すように、特定された体温（補正皮膚温度）に対し、所定時間範囲（実測した時間範囲）の近似値を演算した温度データを代表温度として特定することができる（Ｓ６Ｂ）。すなわち、図６（Ｂ）の皮膚温度データ及び外部温度データに基づいて補正された時間ごとの体温（補正皮膚温度）の平均値（ａｖｅ）若しくは近似値を算出して代表温度として特定することができるものである。
【００４１】
体温測定装置１１の装着間違いによる特定した体温の比較の一例が図８に示される。図８は、皮膚温度センサ２１による逆の装着で何れが皮膚温度データか否かの認定処理をしない場合及び認定処理をした場合と正規な装着の場合とについて、３０分以降及び６０分以降で、体温とする補正皮膚温度に差を生じていることが認識される。すなわち、図８における逆装着した場合において、本発明のように何れが皮膚温度データか否かの認定処理をしない場合の補正皮膚温度は、上記式（１）がＴｉ＝Ｔａ＋Ｋ（Ｔａ−Ｔｓ）に置き換えられることとなって正確な温度を測定することができない。一方、理論上は皮膚温度が外部温度より高くなることを前提としており、逆装着で外部温度が皮膚温度より高い温度データを消去した場合、このときの上記（式１）で演算する対象の温度データが存在しなくなるためにデータなしの結果となる。なお、図８では補正皮膚温度を平均値で示したが、近似値であっても同様である。
【００４２】
続いて、図５（Ａ）において、特定された体温（代表温度）の温度データに測定日の日付を対応付けて記憶部６３に記憶する（Ｓ７）。そして、体温測定処理装置４１において、図示しない操作に応じて、記憶された体温の体温データを所定期間範囲で読み出して表示化し、表示部６４に表示させる（Ｓ８）。例えば、所定期間範囲として３０日を指定し、当該３０日分の体温データをグラフとして表示化し、表示部６４に表示させる。これによって、測定者の体温変動を認識することができるものである。なお、上記体温（代表温度）を特定するごとにリアルタイムで表示対象とすることとしてもよい。
【００４３】
このように、体温測定装置１１の装着間違いによる皮膚温度センサ２１及び外部温度センサ２２で測定した温度データであっても精度よく体温を特定することができるものである。
【００４４】
ところで、本発明に係る体温測定処理プログラムを、光ディスク等の記憶媒体に記憶させ、若しくはインターネットなどのネットを媒体としてダウンロード自在に置いておくこととすることもできる。
【００４５】
また、上記体温測定処理プログラムにより簡易な演算処理で精度よく体温の特定を行うことが可能であることから、図５におけるＳ８の処理のプログラムを体温測定処理装置４１に備えさせて、他の手段の体温測定処理プログラムを体温測定装置１１に備えさせることとしてもよい。さらには、体温測定装置１１に表示部を設け、図４及び図５の総ての処理を行う体温測定処理プログラムを備えさせることとしてもよい。
【産業上の利用可能性】
【００４６】
本発明の体温測定処理プログラム及びこのプログラムを備える体温測定装置並びに体温測定処理システムは、身体に装着させて皮膚温度及び外部温度を測定することで体温を特定する装置の製造、販売、使用等の産業分野に利用可能である。
【符号の説明】
【００４７】
１１            体温測定装置
１２            筐体
１３            皮膚側筐体表面
１４            外部側筐体表面
１５            皮膚温度センサ用孔
１６            外部温度センサ用孔
２１            皮膚温度センサ
２２            外部温度センサ
２２Ａ          空隙領域
３１            電子回路
３１Ａ          電子回路基板
４１            体温測定処理装置
５１，６１      処理部
５２            計時部
５３，６３      記憶部
５４            送信部
５５            操作入力部
６２            受信部
６４            表示部
７１            皮膚
７１Ａ          身体深部
７２            衣類
【図１】
2019178914.tif 000003
【図２】
2019178914.tif 000004
【図３】
2019178914.tif 000005
【図４】
2019178914.tif 000006
【図５】
2019178914.tif 000007
【図６】
2019178914.tif 000008
【図７】
2019178914.tif 000009
【図８】
2019178914.tif 000010